(57)【特許請求の範囲】
【請求項１】
ワイヤレスカメラからの撮像無線信号を受信して得られる無線出力信号に応じた光信号を生成すると共に、該ワイヤレスカメラに対向して配置される出先ユニット装置と、前記出先ユニット装置に対して光ケーブルを介して結合されると共に、光信号を無線周波数の電気信号に変換する中継ユニット装置とを備えたワイヤレスカメラ用信号伝送装置において、前記光ケーブルは、前記光信号として高周波光信号を伝送するための少なくとも１本の光ファイバコードを含むと共に、前記中継ユニット装置から前記出先ユニット装置へ電力供給を行うための電力供給電線，及び制御信号を伝送するための制御信号線を含む光複合ケーブルから成り、前記中継ユニット装置は、前記制御信号線に接続されて電流を流すための電流源と、前記電流源から電流供給された前記制御信号線上における電流値を検出するための電流検出回路とを備えると共に、該電流検出回路による該電流値の検出結果に基づいて安全監視点検時に前記光複合ケーブルの接続状態を検出することを特徴とするワイヤレスカメラ用信号伝送装置。
【請求項２】
請求項１記載のワイヤレスカメラ用信号伝送装置において、前記中継ユニット装置は、前記電流検出回路による前記電流値の検出結果が所定の最小規定値以上を示す場合に前記光複合ケーブルが正常に接続されているものとみなすことを特徴とするワイヤレスカメラ用信号伝送装置。
【請求項３】
請求項２記載のワイヤレスカメラ用信号伝送装置において、前記出先ユニット装置は、前記制御信号線に接続された負荷抵抗器と、前記負荷抵抗器に接続されて該負荷抵抗器に流れる電流によって発生する電圧値に基づいて得られる前記ワイヤレスカメラ向けの無線電界強度をモニタするためのモニタ回路とを備えたことを特徴とするワイヤレスカメラ用信号伝送装置。
【請求項４】
請求項３記載のワイヤレスカメラ用信号伝送装置において、前記出先ユニット装置は、前記電流検出回路による前記電流値の検出結果が前記所定の最小規定値からそれよりも大きい所定の最大規定値までの規定範囲内を示す場合に該規定範囲内の該電流値に応じて前記光ファイバコードにおける前記高周波光信号の伝送強度を設定することを特徴とするワイヤレスカメラ用信号伝送装置。
【請求項５】
ワイヤレスカメラに対向して配置される出先ユニット装置側において該ワイヤレスカメラからの撮像無線信号を受信して得られる無線出力信号に応じた光信号を生成してから光ケーブルを介して中継ユニット装置側へ伝送した後、該中継ユニット装置側において該光信号を無線周波数の電気信号に変換するワイヤレスカメラ用信号伝送方法であって、前記光ケーブルには、前記光信号として高周波光信号を伝送するための少なくとも１本の光ファイバコードを含むと共に、前記中継ユニット装置側から前記出先ユニット装置側へ向けて電力供給を行うための電力供給電線，及び制御信号を伝送するための制御信号線を含む光複合ケーブルを用いるものとし、前記中継ユニット装置側では、安全監視点検時に前記制御信号線に対して電流を流すための電流源を接続して該電流源により電流供給した該制御信号線上における該電流値を検出した結果に基づいて前記光複合ケーブルの接続状態を検出することを特徴とするワイヤレスカメラ用信号伝送方法。
【請求項６】
請求項５記載のワイヤレスカメラ用信号伝送方法において、前記中継ユニット装置側では、前記電流値の検出結果が所定の最小規定値以上を示す場合に前記光複合ケーブルが正常に接続されているものとみなし、前記出先ユニット装置側では、前記電流値の検出結果が前記所定の最小規定値からそれよりも大きい所定の最大規定値までの規定範囲内を示す場合に該規定範囲内の該電流値に応じて前記光ファイバコードにおける前記高周波光信号の伝送強度を設定することを特徴とするワイヤレスカメラ用信号伝送方法。
【請求項７】
請求項５又は６記載のワイヤレスカメラ用信号伝送方法において、前記出先ユニット装置側では、前記制御信号線に接続した負荷抵抗に流れる電流によって発生する電圧値に基づいて得られる前記ワイヤレスカメラ向けの無線電界強度をモニタすることを特徴とするワイヤレスカメラ用信号伝送方法。
【発明の詳細な説明】
【技術分野】
【０００１】
本発明は、主として屋外で行われるスポーツ，各種イベント，出来事等を現場テレビ中継する場合に適用されると共に、カメラマンの行動を容易にするためにカメラ本体の動きを制限するコードを持たずに撮像の無線通信を行うワイヤレスカメラ用信号伝送装置及びワイヤレスカメラ用信号伝送方法であって、詳しくは光伝送方式を適用した安全監視機能を有するワイヤレスカメラ用信号伝送装置及びワイヤレスカメラ用信号伝送方法に関する。
【背景技術】
【０００２】
従来、光伝送方式を適用した安全監視機能を有するワイヤレスカメラ用信号伝送装置としては、例えば図３に示すような構成のもの（開発済みであるが、文献公知に係る発明でないもの）が挙げられる。
【０００３】
このワイヤレスカメラ用信号伝送装置は、移動式のワイヤレスカメラ１からの撮像無線信号を受信して得られる無線出力信号に応じた光信号を生成すると共に、ワイヤレスカメラ１に対向して配置される出先ユニット装置２と、出先ユニット装置２に対して光複合ケーブル３を介して結合されると共に、光信号を無線周波数の電気信号に変換する中継ユニット装置４とを備えて構成されている。
【０００４】
このうち、出先ユニット装置２は、光信号伝送機能の構成部分として、ワイヤレスカメラ１からの撮像無線信号を受信して無線出力信号を出力するアンテナ２１と、各部へ電源供給する電源部２６と、電源部２６から電源供給されてレーザを駆動するための駆動信号を出力するレーザ駆動回路２３と、レーザ駆動回路２３からの駆動信号に従って無変調の光信号を発生するレーザ（ＬＤ）発生器２２と、アンテナ２１からの無線出力信号を周波数変換又は変調方式変換せずに無線周波数のまま用いてレーザ発生器２２からの無変調の光信号に対して光変調［電気／光変調（Ｅ／Ｏ）］することにより光変調信号を生成する光変調器としての電気／光（Ｅ／Ｏ）変調器２４と、電源部２６から電源供給されて無変調の光信号の強度を増幅調整するアンプ２５とを備えている。これに対し、中継ユニット装置４は、同様に光信号伝送機能の構成部分として、出先ユニット装置２の電気／光（Ｅ／Ｏ）変調器２４から光複合ケーブル３を介して伝送された光変調信号を光／電気（Ｏ／Ｅ）することにより無線周波数の撮像データ無線信号を出力する光／電気（Ｏ／Ｅ）変換器４１を備えている。
【０００５】
ところで、このワイヤレスカメラ用信号伝送装置の場合、出先ユニット装置２及び中継ユニット装置４の間で安全監視機能を持たせるため、光複合ケーブル３は、光変調信号として高周波光変調信号を伝送するための光ファイバコード３１の他、中継ユニット装置４から出先ユニット装置２へ電力供給を行うための電力供給電線３２，及び制御信号を伝送するための制御信号線３３を備えている。
【０００６】
即ち、ワイヤレスカメラ用信号伝送装置では、出先ユニット装置２において、ワイヤレスカメラ１で得られた撮像無線信号が光変調器である電気／光（Ｅ／Ｏ）変調器２４を通って高周波光変調信号に変換された上で光複合ケーブル３の光ファイバコード３１を伝送されて中継ユニット装置４へ到達し、中継ユニット装置４において、高周波光変調信号を電気信号に変換した無線周波数の撮像データ無線信号を中継車等へ受け渡すようになっているが、出先ユニット装置２ではワイヤレスカメラ１からの撮像無線信号を良好に受信できるように移動させる必要があり、これに伴って装置自体が軽量で小型である必要があることにより、出先ユニット装置２への電力供給を中継ユニット装置４から光複合ケーブル３の電力供給線３２を介して行うようにしている。このため、中継ユニット装置４には、電力供給線３２に接続されたリレー回路４３と、リレー回路４３を介して電力供給線３２へ電力供給するための電源部４２とが備えられている。
【０００７】
ところが、中継ユニット装置４と出先ユニット装置２との間は、最大で３ｋｍにも及ぶ間隔があり、これに伴って電力供給線３２が持つ抵抗により印加電圧が降下してしまうという問題を回避するため、中継ユニット装置４側から電圧降下分を補う規格で高電圧を印加するようにしているが、その反面として操作者の感電事故が生じる危険性がある。そこで、こうした感電事故は、光複合ケーブル３の未接続或いは断線事故の際に多く発生すると考えられるため、これを対策して光複合ケーブル３が正しく接続されているか否かを検出するために新たに制御信号線３３が設けられている。
【０００８】
このように、ワイヤレスカメラ用信号伝送装置では、出先ユニット装置２と中継ユニット装置４との間の距離が長距離となるため、安全監視機能を得るためには撮像無線信号とは別に何らかの信号伝送方式による通信手段が必要であり、この目的で制御信号線３３を介して伝送を行うようにしている。
【０００９】
具体的に言えば、ワイヤレスカメラ用信号伝送装置では、光信号伝送機能と安全監視機能とを一つの電線ペアで伝送するために上述したように、光複合ケーブル３を光ファイバコード３１，電力供給電線３２，及び制御信号線３３を備えて成る構成とした上、出先ユニット装置２には制御信号線３３に接続されたＣＰＵ２９とこれに接続されたモニタ回路２７とを備え、中継ユニット装置４には別途専用の電源部４２からリレー回路４３を介して電源供給されるＣＰＵ４６を備えるようにし、中継ユニット装置４のＣＰＵ４６から制御信号線３３を介して例えばＲＳ４８５等の通信規格による通信を行い、通信が成立した段階で光複合ケーブル３の正常な接続を確認すると共に、電力供給電線３２を介してシステム全体の電力供給を開始することができる。
【００１０】
因みに、このときの通信により、例えばワイヤレスカメラ１における無線電界強度を中継ユニット装置４側で検出し、その電界強度値を出先ユニット装置２へ制御信号線３３を介して同様な通信規格に基づいてフイードバックさせてＣＰＵ２８経由でモニタ回路２７による処理により表示させるようにすれば、出先側ユニット２の位置、並びにアンテナ２１の向き等を最適位置に設定することができる。尚、出先ユニット装置２のＣＰＵ２９に対する電源供給は、中継ユニット装置４におけるＣＰＵ４６から制御信号線３３を介して重畳伝送されるようになっている。
【発明の開示】
【発明が解決しようとする課題】
【００１１】
上述した図３に示す光信号伝送機能と安全監視機能とを備えたワイヤレスカメラ用信号伝送装置の場合、構成上において出先ユニット装置と中継ユニット装置との双方にＣＰＵが必要であることにより、装置全体にとってコスト高を招くことになるばかりでなく、各ユニット装置に要求される小型・軽量化の具現化にも自ずと限界が生じることになってしまうため、結果として、高い信頼性を持つ安全監視機能を光信号伝送機能に持たせた上、安価に小型・軽量化してシステムを構築することができないという問題がある。
【００１２】
本発明は、このような問題点を解決すべくなされたもので、その技術的課題は、ＣＰＵが不要で安価にシステム構築し得る高い信頼性を持つ安全監視機能を光信号伝送機能に合わせ持つ小型・軽量化された簡易な構成のワイヤレスカメラ用信号伝送装置、及びワイヤレスカメラ用信号伝送方法を提供することにある。
【課題を解決するための手段】
【００１３】
本発明によれば、ワイヤレスカメラからの撮像無線信号を受信して得られる無線出力信号に応じた光信号を生成すると共に、該ワイヤレスカメラに対向して配置される出先ユニット装置と、出先ユニット装置に対して光ケーブルを介して結合されると共に、光信号を無線周波数の電気信号に変換する中継ユニット装置とを備えたワイヤレスカメラ用信号伝送装置において、光ケーブルは、光信号として高周波光信号を伝送するための少なくとも１本の光ファイバコードを含むと共に、中継ユニット装置から出先ユニット装置へ電力供給を行うための電力供給電線，及び制御信号を伝送するための制御信号線を含む光複合ケーブルから成り、中継ユニット装置は、制御信号線に接続されて電流を流すための電流源と、電流源から電流供給された制御信号線上における電流値を検出するための電流検出回路とを備えると共に、該電流検出回路による該電流値の検出結果に基づいて安全監視点検時に光複合ケーブルの接続状態を検出するワイヤレスカメラ用信号伝送装置が得られる。
【００１４】
又、本発明によれば、上記ワイヤレスカメラ用信号伝送装置において、中継ユニット装置は、電流検出回路による電流値の検出結果が所定の最小規定値以上を示す場合に光複合ケーブルが正常に接続されているものとみなすワイヤレスカメラ用信号伝送装置が得られる。
【００１５】
更に、本発明によれば、上記ワイヤレスカメラ用信号伝送装置において、出先ユニット装置は、制御信号線に接続された負荷抵抗器と、負荷抵抗器に接続されて該負荷抵抗器に流れる電流によって発生する電圧値に基づいて得られるワイヤレスカメラ向けの無線電界強度をモニタするためのモニタ回路とを備えたワイヤレスカメラ用信号伝送装置が得られる。
【００１６】
加えて、本発明によれば、上記ワイヤレスカメラ用信号伝送装置において、出先ユニット装置は、電流検出回路による電流値の検出結果が所定の最小規定値からそれよりも大きい所定の最大規定値までの規定範囲内を示す場合に該規定範囲内の該電流値に応じて光ファイバコードにおける高周波光信号の伝送強度を設定するワイヤレスカメラ用信号伝送装置が得られる。
【００１７】
一方、本発明によれば、ワイヤレスカメラに対向して配置される出先ユニット装置側において該ワイヤレスカメラからの撮像無線信号を受信して得られる無線出力信号に応じた光信号を生成してから光ケーブルを介して中継ユニット装置側へ伝送した後、該中継ユニット装置側において該光信号を無線周波数の電気信号に変換するワイヤレスカメラ用信号伝送方法であって、光ケーブルには、光信号として高周波光信号を伝送するための少なくとも１本の光ファイバコードを含むと共に、中継ユニット装置側から出先ユニット装置側へ向けて電力供給を行うための電力供給電線，及び制御信号を伝送するための制御信号線を含む光複合ケーブルを用いるものとし、中継ユニット装置側では、安全監視点検時に制御信号線に対して電流を流すための電流源を接続して該電流源により電流供給した該制御信号線上における該電流値を検出した結果に基づいて光複合ケーブルの接続状態を検出するワイヤレスカメラ用信号伝送方法が得られる。
【００１８】
又、本発明によれば、上記ワイヤレスカメラ用信号伝送方法において、中継ユニット装置側では、電流値の検出結果が所定の最小規定値以上を示す場合に光複合ケーブルが正常に接続されているものとみなし、出先ユニット装置側では、電流値の検出結果が所定の最小規定値からそれよりも大きい所定の最大規定値までの規定範囲内を示す場合に該規定範囲内の該電流値に応じて光ファイバコードにおける高周波光信号の伝送強度を設定するワイヤレスカメラ用信号伝送方法が得られる。
【００１９】
更に、本発明によれば、上記何れかのワイヤレスカメラ用信号伝送方法において、出先ユニット装置側では、制御信号線に接続した負荷抵抗に流れる電流によって発生する電圧値に基づいて得られるワイヤレスカメラ向けの無線電界強度をモニタするワイヤレスカメラ用信号伝送方法が得られる。
【発明の効果】
【００２０】
本発明のワイヤレスカメラ用信号伝送方法の場合、出先ユニット装置及び中継ユニット装置の間を結合接続する光複合ケーブルとして光ファイバコード，電力供給電線，及び制御信号線を含むものを用い、中継ユニット装置側で制御信号線に対して電流を流すための電流源を接続して電流源により電流供給した制御信号線上における電流値を検出した結果に基づいて光複合ケーブルの接続状態を検出することを基本とし、具体的には電流値の検出結果が所定の最小規定値以上を示す場合に光複合ケーブルが正常に接続されているものとみなし、出先ユニット装置側においても、制御信号線に接続した負荷抵抗に流れる電流によって発生する電圧値に基づいて得られるワイヤレスカメラ向けの無線電界強度をモニタするようにし、更に、電流値の検出結果が所定の最小規定値からそれよりも大きい所定の最大規定値までの規定範囲内を示す場合に規定範囲内の電流値に応じて光ファイバコードにおける高周波光信号の伝送強度を設定するようにしているので、ＣＰＵを用いることなく信頼性高い安全監視機能を光信号伝送機能に持たせた上で安全監視点検を経てシステム設定された安定した状態で精度良く光信号伝送を行わせることができるようになる。この信号伝送方法を適用した信号伝送装置では、各ユニット装置にＣＰＵを用いる必要がないことによりコストを低減化させて小型化・軽量化された簡易なシステムを構築できるようになる。又、出先ユニット装置に備えられる負荷抵抗器は電力を要しないため、既存の装置で必要とされたＣＰＵに対する電力供給が不要となり、中継ユニット装置から制御信号線にＣＰＵ用の電源供給を重畳する必要が無くなることにより、システム全体を簡素化できるようになり、特に出先ユニット装置を小型化・軽量化するために有効となる。更に、出先ユニット装置に備えられる負荷抵抗器に接続されるモニタ回路を針式の電流・電圧計とした場合には、制御信号線に接続される出先ユニット装置をモニタするための装置が電源不要となり、更に構成が簡素になり、これにより更にシステム全体（特に出先ユニット装置）を小型化・軽量化できるようになる。
【発明を実施するための最良の形態】
【００２１】
本発明の最良の形態に係るワイヤレスカメラ用信号伝送方法は、ワイヤレスカメラに対向して配置される出先ユニット装置側においてワイヤレスカメラからの撮像無線信号を受信して得られる無線出力信号に応じた光信号を生成してから光ケーブルを介して中継ユニット装置側へ伝送した後、中継ユニット装置側において光信号を無線周波数の電気信号に変換する際、光ケーブルには、光信号として高周波光信号を伝送するための少なくとも１本の光ファイバコードを含むと共に、中継ユニット装置側から出先ユニット装置側へ向けて電力供給を行うための電力供給電線，及び制御信号を伝送するための制御信号線を含む光複合ケーブルを用いるものとし、中継ユニット装置側では、安全監視点検時に制御信号線に対して電流を流すための電流源を接続して電流源により電流供給した制御信号線上における電流値を検出した結果に基づいて光複合ケーブルの接続状態を検出するものである。
【００２２】
但し、ここで中継ユニット装置側では、電流値の検出結果が所定の最小規定値以上を示す場合に光複合ケーブルが正常に接続されているものとみなし、出先ユニット装置側では、電流値の検出結果が所定の最小規定値Ｉ１からそれよりも大きい所定の最大規定値Ｉ２までの規定範囲内を示す場合にその規定範囲内の電流値に応じて光ファイバコードにおける高周波光信号の伝送強度を設定するようにしてから伝送を行うようにすることが好ましい。又、出先ユニット装置側では、制御信号線に接続した負荷抵抗に流れる電流によって発生する電圧値に基づいて得られるワイヤレスカメラ向けの無線電界強度をモニタするようにすることが好ましい。
【００２３】
このようなワイヤレスカメラ用信号伝送方法の場合、安全監視点検時に光複合ケーブルの長さは設置現場によって短くも長くもなるため、その抵抗値が大きく変化するような場合の使用目的として一般的に適用される電流ループと呼ばれる信号伝送方式の通信手段を拡張することにより、安全監視機能として一切のＣＰＵを用いることなく制御信号線を用いて光複合ケーブルの接続の安全確認を行うと共に、ワイヤレスカメラの電界強度信号を出先側ユニット装置に伝送してシステム設定とした後、光信号伝送機能として電力供給電線を介してシステム全体の電力供給を開始することにより、光ファイバコードを介して高周波光信号を伝送する際に最適な使用状態にすることができる。
【００２４】
以下は、本発明のワイヤレスカメラ用信号伝送方法を適用したワイヤレスカメラ用信号伝送装置の実施例について、図面を参照して詳細に説明する。
【実施例】
【００２５】
図１は、本発明の実施例に係る光伝送方式を適用した安全監視機能を有するワイヤレスカメラ用信号伝送装置の基本構成を示したブロック図である。
【００２６】
このワイヤレスカメラ用信号伝送装置の場合も、図３に示した周知な装置と比べ、移動式のワイヤレスカメラ１からの撮像無線信号を受信して得られる無線出力信号に応じた光信号を生成すると共に、ワイヤレスカメラ１に対向して配置される出先ユニット装置２と、出先ユニット装置２に対して光複合ケーブル３を介して結合されると共に、光信号を無線周波数の電気信号に変換する中継ユニット装置４とを同様に備える基本構成を有する他、出先ユニット装置２及び中継ユニット装置４において光信号伝送機能を成す構成部分と、出先ユニット装置２及び中継ユニット装置４の間で安全監視機能を持たせるべく、光複合ケーブル３が光変調信号として高周波光変調信号を伝送するための光ファイバコード３１の他、中継ユニット装置４から出先ユニット装置２へ電力供給を行うための電力供給電線３２，及び制御信号を伝送するための制御信号線３３を備えて成る点とについては、共通している。
【００２７】
即ち、このワイヤレスカメラ用信号伝送装置についても、出先ユニット装置２は、ワイヤレスカメラ１からの撮像無線信号を受信して無線出力信号を出力するアンテナ２１と、各部へ電源供給する電源部２６と、電源部２６から電源供給されてレーザを駆動するための駆動信号を出力するレーザ駆動回路２３と、レーザ駆動回路２３からの駆動信号に従って無変調の光信号を発生するレーザ（ＬＤ）発生器２２と、アンテナ２１からの無線出力信号を周波数変換又は変調方式変換せずに無線周波数のまま用いてレーザ発生器２２からの無変調の光信号に対して光変調［電気／光変調（Ｅ／Ｏ）］することにより光変調信号を生成する光変調器としての電気／光（Ｅ／Ｏ）変調器２４と、電源部２６から電源供給されて無変調の光信号の強度を増幅調整するアンプ２５とを備え、中継ユニット装置４は、出先ユニット装置２の電気／光（Ｅ／Ｏ）変調器２４から光複合ケーブル３を介して伝送された光変調信号を光／電気（Ｏ／Ｅ）することにより無線周波数の撮像データ無線信号を出力する光／電気（Ｏ／Ｅ）変換器４１と、電力供給線３２に接続されたリレー回路４３と、リレー回路４３を介して電力供給線３２へ電力供給するための電源部４２とを備えている。
【００２８】
但し、このワイヤレスカメラ用信号伝送装置の場合、出先ユニット装置２及び中継ユニット装置４において安全監視機能を成す構成部分が図３に示した周知装置の場合とは異なり、中継ユニット装置４については、ＣＰＵ４６を排除してその代わりに制御信号線３３に接続されて電流を流すための電流源４５と、電流源４５から電流供給された制御信号線３３上における電流値を検出するための電流検出回路４４とを備え、電流検出回路４４による電流値の検出結果に基づいて安全監視点検時に光複合ケーブル３の接続状態を検出するようになっており、出先ユニット装置２については、同様に制御信号線３３に接続されるＣＰＵ４６を排除し、その代わりに制御信号線３３に接続された負荷抵抗器２８と、負荷抵抗器２８に接続されて負荷抵抗器２８を流れる電流によって発生する電圧値に基づいて得られるワイヤレスカメラ１向けの無線電界強度をモニタするためのモニタ回路２７とを備えている。
【００２９】
このうち、中継ユニット装置４に備えられた電流源４５には、外部機器からの信号取り込みポートがあり、例えば上述したワイヤレスカメラ１の電界強度信号等を入力できると共に、こうした入力信号に応じて電流量を調整する機能を有している。又、出先ユニット装置２に備えられたモニタ回路２７は、ワイヤレスカメラ１の電界強度がメータ等のモニタにより確認することができるようになっている。
【００３０】
このワイヤレスカメラ用信号伝送装置において、中継ユニット装置４では、電流検出回路４４による制御信号線３３上における電流値の検出結果が所定の最小規定値以上を示す場合に光複合ケーブル３が正常に接続されているものとみなすもので、出先ユニット装置４では、電流検出回路４４による電流値の検出結果が所定の最小規定値からそれよりも大きい所定の最大規定値までの規定範囲内を示す場合に規定範囲内の電流値に応じて光ファイバコード３１における高周波光信号の伝送強度を設定するものである。
【００３１】
図２は、このワイヤレスカメラ用信号伝送装置に備えられる制御信号線３３周辺の細部構成を示したブロック図である。
【００３２】
ここでは、中継ユニット装置４における電流源４５及び電流検出回路４４と、出先ユニット装置２における負荷抵抗器２８及びモニタ回路２７とによる安全監視機能の細部構成を例示している。
【００３３】
具体的に言えば、図示されない外部機器から例えば電界強度信号（アナログ）が電流源４５におけるオフセット回路４５１に供給されると、ここでオフセット値として例えば４ｍＡ相当のオフセット値が付加されて電源電圧が数Ｖ〜１５Ｖに保たれる電流ループ回路４５２に伝送される。例えばオフセット回路４５１への入力値について、電界強度が最小として−９０ｄＢｍ以下の場合は最小規定値４ｍＡ（Ｉ１値）、電界強度が最大として−３０ｄＢｍ以上の場合は最大規定値２０ｍＡ（Ｉ２値）となるようにする。電流ループ回路４５２は途中にある伝送路の抵抗値０〜２００Ω（制御信号線３３の抵抗値）に影響されず、一定の決められた電流を流す機能を有するため、出先ユニット装置２における負荷抵抗器２８には一定の電流が正確に流れることになる。
【００３４】
そこで、出先ユニット装置２では、負荷抵抗器２８に接続したモニタ回路２７において、負荷抵抗器２８に流れる電流によって発生する電圧値からオフセット値を減算した値が電界強度に比例していることにより、電界強度をモニタすることができる。因みに、モニタ回路２７が針式の電流計か、或いは電圧計であった場合には零点調整を調整する程度の簡単な方法でこのオフセット値を取り除くことができる。
【００３５】
更に、電流ループとして再度中継ユニット装置４に戻って来た電流は、電流検出回路４４で検出され、この電流が検出されることによって光複合ケーブル３が正常に接続されており、断線を生じていないことが確認される。従って、その後に中継ユニット装置４の電源部４２から交流ＡＣ１００Ｖ仕様のリレー回路４３経由で電力供給線３２を介して出先ユニット装置２全体へ行う電源供給を感電・漏電の恐れ無く行うことができる。ここでは予めオフセット電流として４ｍＡが制御信号線３３に流れていることにより、電界強度が−９０ｄＢｍ以下の場合においても光複合ケーブル３の接続状態を電流検出回路４４で検出することができ、その電流検出回路４４による電流検出信号に応じてリレー回路４３経由で電力供給線３２へ行う電源供給の可否を制御できる仕組みとなっている。
【００３６】
尚、実施例のワイヤレスカメラ用信号伝送装置では、安全監視機能用の設定としてオフセット電流値を４ｍＡ、即ち、伝送すべき信号の最小規定値（Ｉ１）を４ｍＡとし、伝送すべき信号の最大規定値（Ｉ２）を２０ｍＡとした場合を例示したが、これは伝送路における抵抗値（制御信号線３３の抵抗値）を２００Ω程度であると見込むと、負荷抵抗器２８の抵抗値を１５０Ωとした場合、電流ループ回路４５２で発生すべき電圧値がせいぜい１５Ｖ以下の値（数Ｖ〜１５Ｖの範囲値）となることから、一般的なオペアンプ回路を使用することができる他、係る電圧信号が制御信号線３３に常時印加されてもこれによる感電は生じないため、安全監視点検時には十分に安全性が確保されるためである。
【図面の簡単な説明】
【００３７】
【図１】本発明の実施例に係る光伝送方式を適用した安全監視機能を有するワイヤレスカメラ用信号伝送装置の基本構成を示したブロック図である。
【図２】図１に示すワイヤレスカメラ用信号伝送装置に備えられる制御信号線周辺の細部構成を示したブロック図である。
【図３】従来の光伝送方式を適用した安全監視機能を有するワイヤレスカメラ用信号伝送装置の基本構成を示したブロック図である。
【符号の説明】
【００３８】
１  ワイヤレスカメラ
２  出先ユニット装置
３  光複合ケーブル
４  中継ユニット装置
２１  アンテナ
２２  レーザ発生器
２３  レーザ駆動回路
２４  光変調器
２５  アンプ
２６，４２  電源部
２７  モニタ回路
２８  負荷抵抗器
２９，４６  ＣＰＵ
３１  光ファイバコード
３２  電力供給線
３３  制御信号線
４１  Ｏ／Ｅ変換器
４３  リレー回路
４４  電流検出回路
４５  電流源
【図１】
0004657879.tif 000002
【図２】
0004657879.tif 000003
【図３】
0004657879.tif 000004